(57)【特許請求の範囲】
【請求項１】
吊下管で吊り下げられたポンプの吸込口が液槽内に開口し、吐出口が液槽上部に横方向に開口し、該吐出口に可撓管を接続した構成の立型ポンプ装置において、
前記ポンプの吐出圧力によって前記吐出口に掛かる推力を前記吊下管部で受ける推力受け装置を設け、
前記推力受け装置は防振装置を具備し、前記吊下管部で受ける推力を前記防振装置で受けるように構成されていることを特徴とする立型ポンプ装置。
【請求項２】
請求項１に記載の立型ポンプ装置において、
前記ポンプ及び吊下管等が台板に搭載されると共に、該台板は垂直荷重用防振装置を介して前記液槽上部の床上面に支持されていることを特徴とする立型ポンプ装置。
【発明の詳細な説明】
【０００１】
【発明の属する技術分野】
本発明は清水、汚水、その他の液体を移送・排水・加圧するポンプを具備する立型ポンプ装置に関し、特にポンプの運転に伴って生じる振動が外部に伝搬して振動公害或いは振動伝搬が原因となって生じる騒音公害の発生を防止できる立型ポンプ装置に関するものである。
【０００２】
【従来の技術】
ポンプ運転に伴う振動が基礎や吐出し配管を経由して外部に伝搬するのを防止するために、ポンプ装置（ポンプ、吊下管及び電動機等）を垂直荷重用の防振装置で支持し、吐出口に可撓管を接続すると、ポンプの吐出圧力による推力はポンプの吐出口に掛かり、ポンプを水平方向に移動させるように作用する。ポンプ装置を支持する防振装置は垂直荷重用なのでこの推力を受けることが困難である。そこで、通常はポンプの吐出口に可撓管を接続していない。
【０００３】
また、従来の吸込口が水槽内にあり、吐出口が横方向に開口している立型ポンプは、ポンプを水槽上部の床面上に設置するため、吐出圧力による推力を受ける防振装置を使用することが難しく、ポンプの振動伝搬及び振動に起因する騒音についての対策はポンプ機場の外で行われることが多く、規模が大きくなり、対策費用も高額となるという問題があった。
【０００４】
【発明が解決しようとする課題】
本発明は上述の点に鑑みてなされたもので、振動、騒音に対する規制が厳しくなっている現状で、従来対策が不要であった小型の立型ポンプ装置についても、ポンプ機場境界における騒音や振動をより小さくし、ポンプの振動がポンプ室の床、壁、配管に伝わるのを安価で、且つ簡単な構成で防止できるポンプ装置を提供することを目的とする。
【０００５】
【課題を解決するための手段】
上記問題点を解決するため本発明は、吊下管で吊り下げられたポンプの吸込口が液槽内に開口し、吐出口が液槽上部に横方向に開口し、該吐出口に可撓管を接続した構成の立型ポンプ装置において、ポンプの吐出圧力によって吐出口に掛かる推力を吊下管部で受ける推力受け装置を設け、推力受け装置は防振装置を具備し、吊下管部で受ける推力を防振装置で受けるように構成されていることを特徴とする。
【０００６】
上記のように、ポンプの吐出圧力によって吐出口に掛かる推力を推力受け装置の防振装置で受けることにより、ポンプの振動が外部に伝搬するのを遮断できる。
【０００７】
また、本発明は、上記立型ポンプ装置において、ポンプ及び吊下管等が台板に搭載されると共に、該台板は垂直荷重用防振装置を介して液槽上部の床上面に支持するように構成されることを特徴とする。
また、推力受け装置は台板より下側の吊下管部で推力を受けるように構成されていることを特徴とする。
【０００８】
【発明の実施の形態】
以下、発明の実施の形態例を図面に基づいて説明する。図１及び図２は本発明に係る立型ポンプ装置の構成を示す図で、図１は立型ポンプ装置の据付断面図、図２は推力受け装置の設置平面図である。
【０００９】
図において、２はポンプであり、該ポンプ２は吊下管５で水槽１６内に吊り下げられ、吸込口３は水面１５の下に開口し、吐出口４は水槽１６の上部で横方向に開口している。該吐出口４には可撓管７が接続され、該可撓管７には吐出配管８が接続されている。該吐出配管８は吐出配管受９で水槽１６の上部の床１７に固定されている。
【００１０】
１はポンプ駆動用の電動機であり、該電動機１の回転軸１ａは継手１８でポンプ軸１４に連結されている。６はポンプ２、吊下管５及び電動機１等を搭載する台板であり、該台板６は垂直荷重用防振装置１０を介して床１７の上面に支持されている。１２は防振装置であり、該防振装置１２の一端は抑え板１１を介して台板６より下側の吊下管５に固定され、他端は床１７の下面に固定された固定板１３に固定されている。
【００１１】
上記構成の立型ポンプ装置において、電動機１を起動してポンプ２を運転すると、吸込口３より吸込まれた水は吊下管５、吐出口４及び可撓管７を通って吐出配管８へと流れる。このポンプ２の運転により、吐出圧力が掛かると吐出配管８が吐出配管受９で床１７に固定されているので、可撓管７の位置で推力が生じ、該推力が吐出口４に掛かる。垂直荷重用防振装置１０は垂直荷重しか受けないので台板６はこの推力により水平方向に移動するが、これを抑え板１１、防振装置１２及び固定板１３で構成される推力受け装置で受けることになる。
【００１２】
上記抑え板１１、防振装置１２及び固定板１３で構成される推力受け装置は、可撓管７によって生じる推力を防振装置１２が垂直荷重として受ける構造にしてある。即ち、図２に示すように、ポンプ２の吐出圧力により、吐出口４に掛かる推力を抑え板１１で受けるが、この抑え板１１で受けた推力を防振装置１２が垂直荷重として受ける。
【００１３】
上記のように、抑え板１１、防振装置１２及び固定板１３で構成される推力受け装置で吊下管５を支え、ポンプ２の吐出圧力によって吐出口４に掛かる推力を受けるので、吐出口４に可撓管７を接続することができ、床１７及び吐出配管８への振動の伝搬を遮断できる。
【００１４】
なお、上記実施の形態例では、水槽１６内の水を取り扱うポンプを具備する立型ポンプ装置を例に説明したが、本発明に係る立型ポンプ装置は水槽内の水を扱うものに限定されるものではなく、各種の液を取り扱うポンプを具備する立型ポンプ装置でもよい。即ち、各種液を収容する液槽内の液を移送・排液・加圧するポンプを具備する立型ポンプ装置でも良いことは当然である。
【００１５】
以上、説明したように各請求項に記載の発明によれば、ポンプの吐出圧力によって吐出口に掛かる推力を吊下管部で受ける推力受け装置を設け、推力受け装置は防振装置を具備し、吊下管部で受ける推力を防振装置で受けるように構成されているので、下記のような優れた効果が得られる。
【００１６】
従来、ポンプの振動伝搬や振動に起因する騒音についての対策はポンプ機場の外で行われたことが多く、規模が大きくなり対策費用も高額となっていたが、本発明では上記のように、吐出口に掛かる推力を推力受け装置の防振装置で受ける構成なので、いかなるポンプ機場でも安価な費用で防振及び振動に起因する騒音について対策を施すことができる。
【図面の簡単な説明】
【図１】本発明に係る立型ポンプ装置の構成を示す据付断面図である。
【図２】本発明に係る立型ポンプ装置の推力受け装置の設置平面図である。
【符号の説明】
１            電動機
２            ポンプ
３            吸込口
４            吐出口
５            吊下管
６            台板
７            可撓管
８            吐出配管
９            吐出配管受
１０          垂直荷重用防振装置
１１          抑え板
１２          防振装置
１３          固定板
１４          ポンプ軸
１５          水面
１６          水槽
１７          床
１８          継手
【図１】
0004008621.tif 000002
【図２】
0004008621.tif 000003